(57)【特許請求の範囲】
【請求項１】
浴室等の湿気の多い部屋とそれに隣接した部屋との間の壁を貫通する開口部の周縁部に取付けられる壁埋没型収納棚の取付構造であって、
前記収納棚を構成する枠体が、両端部にそれぞれフランジを有し、かつ、互いに入れ子状態に嵌入可能な２つの筒状部を有する枠部材からなるとともに、前記枠体のフランジの端部には、壁面を挟んで前記２つの枠部材を組み合わせた際、壁面に当接する環状の折り返し片が設けられてなることを特徴とする壁埋没型収納棚の取付構造。
【請求項２】
前記フランジの折り返し片の内側に、シール材が設けられている請求項１に記載の壁埋没型収納棚の取付構造。
【請求項３】
前記２つの枠部材の内の一方の枠部材の筒状部の端部には、他方の枠部材の筒状部の肉厚分の切欠きが形成されている請求項１または２に記載の壁埋没型収納棚の取付構造。
【請求項４】
前記２つの枠部材が、両枠部材を組み合わせた状態で、防水性を有する接着剤で一体に接着されている請求項１ないし３のいずれかに記載の壁埋没型収納棚の取付構造。
【請求項５】
前記２つ枠部材の少なくとも一方が、前記壁の開口部の内周に対して、複数の固定ネジで固定されている請求項４に記載の壁埋没型収納棚の取付構造。
【発明の詳細な説明】
【０００１】
【発明の属する技術分野】
本発明は、枠体、特に、浴室等の湿気の多い部屋とそれに隣接した部屋との間の壁を貫通する開口部に取付けられる収納棚の取付構造に関する。
【０００２】
【従来の技術】
従来、浴室に隣接した踊り場に、備品を収納するため、キャビネットや収納棚等を備え付けることがあるが、この種の収納棚の場合、入浴している最中に前述のような備品が必要になった際には、踊り場の収納棚までわざわざ浴室から出て、これらの備品を取りに行く必要があり、非常に不便であった。
【０００３】
このため、浴室と踊り場との間の壁に収納棚を設け、浴室側と踊り場側の両側から備品の出し入れを可能にしたいという要望があり、本出願人は同日付けで、名称（壁埋没型収納棚）で特許出願した。
【０００４】
この内容を簡略化して説明すると、図４に示すように、浴室Ａと踊り場Ｂとの間の壁Ｗに開口部を設け、該開口部の周縁部を覆うように枠体０１を嵌合し、この枠体０１の内部に形成される収納棚０６にラック０２を設けて、備品を収納できるようにするとともに、浴室Ａ側に開閉可能な扉部０３を、収納棚０６の浴室Ａ側に取付け、この扉部０３を開放することで、浴室Ａ側からも、踊り場Ｂ側からも備品が出し入れできるような壁埋没型収納棚を提供できるものである。
【０００５】
【発明が解決しようとする課題】
しかしながら、前記開口部と枠体０１との間には、若干の隙間０４が形成されやすく、この隙間０４から浴室Ａや踊り場Ｂの湿気が壁Ｗの内部に進入しないようにするため、枠体０１の外周部と壁Ｗに形成された開口部の端部との当接面にシール材０５を塗布したり、埋め込む等の防水処理を施す必要があり、このシール材が外部に露呈してしまうので、外観上問題が存在する。
【０００６】
本発明は、このような問題点に着目してなされたもので、外観良く確実な防水処理を施すことができる壁埋没型収納棚の取付構造を提供することを目的とする。
【０００７】
【課題を解決するための手段】
上記課題を解決するために、本発明の壁の枠体は、浴室等の湿気の多い部屋とそれに隣接した部屋との間の壁を貫通する開口部の周縁部に取付けられる壁埋没型収納棚の取付構造であって、
前記収納棚を構成する枠体が、両端部にそれぞれフランジを有し、かつ、互いに入れ子状態に嵌入可能な２つの筒状部を有する枠部材からなるとともに、前記枠体のフランジの端部には、壁面を挟んで前記２つの枠部材を組み合わせた際、壁面に当接する環状の折り返し片が設けられてなることを特徴としている。
この特徴によれば、壁面を挟んで前記２つの枠部材を組み合わせた際、枠体のフランジが開口部の周縁部に形成された隙間を隠蔽できるとともに、該フランジの端部に形成された環状の折り返し片が、壁面に当接してシール効果が得られるので、外観良く確実な防水処理を施すことができる。また、両枠部材の各々の筒状部が互いに入れ子状態に嵌入可能なので、前記枠体を、壁の厚さに応じて調整しながら取付けることができる。
【０００８】
本発明の壁埋没型収納棚の取付構造は、前記フランジの折り返し片の内側に、シール材が設けられていることが好ましい。
このようにすれば、シール材を隠蔽しながらシール効果を向上させることができる。
【０００９】
本発明の壁埋没型収納棚の取付構造は、前記２つの枠部材の内の一方の枠部材の筒状部の端部には、他方の枠部材の筒状部の肉厚分の切欠きが形成されていることが好ましい。
このようにすれば、２つの枠部材の筒状部のフランジ近傍が同径となるため、浴室側と踊り場側とに同形状の貫通する開口部を設けて、枠体を取付けることができるので、施工が容易になる。
【００１０】
本発明の壁埋没型収納棚の取付構造は、前記２つの枠部材が、両枠部材を組み合わせた状態で、防水性を有する接着剤で一体に接着されていることが好ましい。
このようにすれば、一体に接着された２つの枠部材が分離して壁の開口部から抜け落ちることがない。
【００１１】
本発明の壁埋没型収納棚の取付構造は、前記２つ枠部材の少なくとも一方が、前記壁の開口部の内周に対して、複数の固定ネジで固定されていることが好ましい。
このようにすれば、枠部材が壁の開口部に対し、がたつくことなく確実に取付けられるとともに、壁の開口部から枠部材が抜け落ちることがない。
【００１２】
【発明の実施の形態】
以下、本発明の実施例を図面に基づいて説明すると、図１は、本実施例の取付構造を適用した壁埋没型収納棚１が、浴室Ａと踊り場Ｂとの間の壁Ｗに設置された状態を示す斜視図であり、図２は、図１のＩ−Ｉ断面図を、図３は、図２のII−II断面図である。
【００１３】
図１、２に示されるように、壁埋没型収納棚１は、枠体２と、仕切板３と、扉部４、５と、閉塞板６とから、主に構成されており、浴室Ａと踊り場Ｂの間の壁Ｗを貫通するように設けられた開口部７に、その周縁部を被覆するように枠体２が嵌め込まれ、この枠体２の内側に収納棚１ａが形成されるようになっている。なお、壁Ｗは、浴室Ａ側を形成する壁パネルＷ１と、踊り場Ｂ側を形成する壁パネルＷ２とが互いに離間するように配設されて構成されている。
【００１４】
また、壁パネルＷ１、Ｗ２の間における開口部７の周縁部には枠体２固定用の補強部材２０が固設されている。
【００１５】
枠体２は、互いに入れ子状態に嵌入可能で両端部にそれぞれフランジ１１、１４を有する筒状部８ａ、９ａからなる２つの枠部材８、９から構成されている。フランジ１１、１４の端部には、壁Ｗを挟んで２つの枠部材８、９を組み合わせた際、壁パネルＷ１、Ｗ２の表面にそれぞれ当接する環状の折り返し片１２、１５がそれぞれ設けられている。
【００１６】
筒状部８ａにおけるフランジ部１１と反対側の端部外周面には、筒状部９ａの肉厚分の切欠き１０が環状に形成されており、両枠部材８、９を互いに嵌合した際に、それぞれの筒状部８ａ、９ａの外径がほぼ同一となる。よって、開口部７の下端線上に枠体２の下面を載置するだけで、枠体２を開口部７内に水平状態に配設することができる。
【００１７】
枠体２内には、縦方向の仕切板３が設けられ、収納棚１ａが１ｂと１ｃとに区画されており、収納棚１ｂは、浴室Ａから踊り場Ｂにかけて貫通し、収納棚１ｃの浴室Ａ側は閉塞板６によって閉塞されている。
【００１８】
扉部４は、収納棚１ｂの浴室Ａ側を閉塞するのに十分な大きさを有し、収納棚１ｂの浴室Ａ側を覆うとともに、浴室Ａ方向に開閉自在に取付けられている。また、扉部５は、収納棚１ｂにおける踊り場Ｂ側の開口を開閉自在に覆うように取付けられている。
【００１９】
収納棚１ｂを取り巻く枠体２と仕切板３の浴室Ａ側近傍には、シール部材１７が扉部４を囲むように設けられており、扉部４を閉塞した際に扉部４と枠体２及び仕切板３との隙間が密閉されるようになっている。
【００２０】
収納棚１ｂ内にはラック１８が、収納棚１ｃにはラック１９がそれぞれ上下方向に多段に設けられており、シャンプーや石鹸等の備品が収納できるようになっている。また、ラック１８は、ワイヤー部材によって形成されているため、ラック底部に水が留まらない。
【００２１】
このように構成された壁埋没型収納棚１にあっては、同一の収納棚１ｂが、浴室Ａと踊り場Ｂとから利用できるため、両側から備品を出し入れすることができ、収納棚１ｂに収納された備品を兼用できる。また、使用時以外は浴室Ａと踊り場Ｂとを扉部４で遮断しておけば、浴室Ａの湿気が踊り場Ｂに入りにくい。また、収納棚１ｃは、常に乾燥状態である補充棚として利用できる。
【００２２】
次に、枠体２の施工方法を図３に基づいて説明する。
【００２３】
まず、壁Ｗの所定箇所に、開口部７を形成し、この開口部７の周縁における壁パネルＷ１とＷ２との間に、補強部材２０を固設する。
【００２４】
次に、枠部材８におけるフランジ１１の折り返し片１２の内側と、枠部材９におけるフランジ１４の折り返し片１５の内側とに、それぞれ防水性を有するシール材２１を充填するとともに、切欠き１０に防水性を有する接着剤を塗布した後、枠部材８を浴室Ａ側から、枠部材９を踊り場Ｂ側から、開口部７に向かってそれぞれ嵌め込む。
【００２５】
そして、枠部材８の筒状部８ａの切欠き１０内に、枠部材９の筒状部９ａの端部を嵌入させた状態で、それぞれのフランジ１１、１４の折り返し片１２、１５の先端が壁パネルＷ１、Ｗ２の表面に当接するまで両者を嵌合することで、これら両枠部材８、９が一体化される。
【００２６】
この際、両枠部材８、９のそれぞれのフランジ１１、１４により、枠体２と開口部７との間に形成された隙間が隠蔽されるとともに、折り返し片１２、１５の先端が、壁パネルＷ１、Ｗ２の表面にそれぞれ当接することで、両枠部材８、９の配設位置が決定されるとともに、シール効果が得られ、外観良く確実な防水処理を施すことができる。
【００２７】
また、両枠部材８、９の各々の筒状部８ａ、９ａが、所定深さを有する切欠き１０を介して互いに入れ子状態に嵌入できるので、枠体２を、壁Ｗの厚さに応じて調整しながら取付けることができる。
【００２８】
さらに、フランジ１１、１４と折り返し片１２、１５との内側にシール材２１が充填されているため、シール材２１を隠蔽しながら開口部７の周縁と枠部材８、９との間のシール効果を向上させる。また、枠部材８と枠部材９とは、それらの嵌入箇所が接着剤により接着されるので、両者の分離が防止される。
【００２９】
最後に、枠部材８の内側面から、補強部材２０に向けて固定ネジ２２を螺入する。これにより、一体となった枠部材８、９が、壁Ｗの開口部７内にがたつくことなく固設され、開口部７からの抜け落ちが防止される。
【００３０】
以上、本発明の実施例を図面に基づいて説明してきたが、具体的な構成はこれら実施例に限られるものではなく、本発明の要旨を逸脱しない範囲における変更や追加があっても本発明に含まれる。
【００３１】
例えば、上記実施例においては、シール効果を向上させるために、フランジ１１、１４の折り返し片１２、１５の内側にシール材２１が設けられているが、折り返し片１２、１５の先端を、それぞれ壁パネルＷ１、Ｗ２に当接させるだけでも一定のシール効果が得られるので、特にシール材２１を設けていなくても良い。
【００３２】
また、枠部材８と枠部材９とは、互いの嵌入箇所を接着剤をもって接着され、一体とされているが、例えば、互いを固定ねじをもって一体に取付ける等、その他の手段を用いても良い。
【００３３】
【発明の効果】
本発明は以下の効果を奏する。
【００３４】
（ａ）請求項１項の発明によれば、壁面を挟んで前記２つの枠部材を組み合わせた際、枠体のフランジが開口部の周縁部に形成された隙間を隠蔽できるとともに、該フランジの端部に形成された環状の折り返し片が、壁面に当接してシール効果が得られるので、外観良く確実な防水処理を施すことができる。また、両枠部材の各々の筒状部が互いに入れ子状態に嵌入可能なので、前記枠体を、壁の厚さに応じて調整しながら取付けることができる。
【００３５】
（ｂ）請求項２項の発明によれば、シール材を隠蔽しながらシール効果を向上させることができる。
【００３６】
（ｃ）請求項３項の発明によれば、２つの枠部材の筒状部のフランジ近傍が同径となるため、浴室側と踊り場側とに同形状の貫通する開口部を設けて、枠体を取付けることができるので、施工が容易になる。
【００３７】
（ｄ）請求項４項の発明によれば、一体に接着された２つの枠部材が分離して壁の開口部から抜け落ちることがない。
【００３８】
（ｅ）請求項５項の発明によれば、、枠部材が壁の開口部に対し、がたつくことなく確実に取付けられるとともに、壁の開口部から枠部材が抜け落ちることがない。
【図面の簡単な説明】
【図１】本発明の実施例における壁の枠体を適用した収納空間が、浴室と踊り場との間の壁に設置された状態を示す斜視図である。
【図２】図１のＩ−Ｉ断面図である。
【図３】図２のII−II断面図である。
【図４】本発明の従来技術を示す一部破断図である。
【符号の説明】
１              壁埋没型収納棚（収納棚）
１ａ、１ｂ、１ｃ収納棚
２              枠体
３              仕切板
４、５          扉部
６              閉塞板
７              開口部
８、９          枠部材
８ａ、９ａ      筒状部
１０            切欠き
１１、１４      フランジ
１２、１５      折り返し片
１７            シール部材
１８、１９      ラック
２０            補強部材
２１            シール材
２２            固定ネジ
Ａ              浴室
Ｂ              踊り場
Ｗ              壁（壁面）
Ｗ１、Ｗ２      壁パネル
【図１】
0004330706.tif 000002
【図２】
0004330706.tif 000003
【図３】
0004330706.tif 000004
【図４】
0004330706.tif 000005